(57)【要約】電解液を貯留するタンクと、前記電解液を電池セルに流通させる流通機構とを備えるレドックスフロー電池であって、前記タンクは、前記タンクの内部の空間を第一空間と第二空間とに区画する仕切部を有し、前記流通機構は、前記電池セルを介して前記第一空間と前記第二空間との間で前記電解液を流通させる流通路を有し、前記仕切部は、フレキシブルな材料で構成されている、レドックスフロー電池。
2020175340.tif 000002
【特許請求の範囲】
【請求項１】
電解液を貯留するタンクと、
前記電解液を電池セルに流通させる流通機構とを備えるレドックスフロー電池であって、
前記タンクは、前記タンクの内部の空間を第一空間と第二空間とに区画する仕切部を有し、
前記流通機構は、前記電池セルを介して前記第一空間と前記第二空間との間で前記電解液を流通させる流通路を有し、
前記仕切部は、フレキシブルな材料で構成されている、
レドックスフロー電池。
【請求項２】
前記仕切部は、その全周縁に設けられる外側領域と、前記外側領域に囲まれる内側領域とを有し、
前記外側領域における前記電解液と接触する領域は、前記タンクの内面に対して実質的に液密に固定され、
前記内側領域は、前記第一空間内及び前記第二空間内の前記電解液の増減に伴って前記第一空間及び前記第二空間の一方の体積を大きくし他方の体積を小さくするように互いの空間の体積を可変にする請求項１に記載のレドックスフロー電池。
【請求項３】
前記流通機構は、
前記第一空間内の前記電解液を前記電池セルに供給する第一供給路と、
前記第二空間内の前記電解液を前記電池セルに供給する第二供給路と、
前記第一供給路及び前記第二供給路の下流同士と前記電池セルとを連結する一つの供給側連結路と、
前記電池セルを経た前記電解液を前記第一空間内に排出する第一排出路と、
前記電池セルを経た前記電解液を前記第二空間内に排出する第二排出路と、
前記第一排出路及び前記第二排出路の上流同士と前記電池セルとを連結する一つの排出側連結路と、
前記第一供給路及び前記第二供給路と前記供給側連結路との連結箇所に設けられて、前記電解液の前記第一供給路から前記供給側連結路への流通と前記第二供給路から前記供給側連結路への流通とを切り替える供給側切替弁と、
前記第一排出路及び前記第二排出路と前記排出側連結路との連結箇所に設けられて、前記電解液の前記排出側連結路から前記第一排出路への流通と前記排出側連結路から前記第二排出路への流通とを切り替える排出側切替弁とを有する請求項１又は請求項２に記載のレドックスフロー電池。
【請求項４】
前記第一空間内の電解液量及び前記第二空間内の電解液量の少なくとも一方を検知する液量検知部を有し、
前記液量検知部の検知結果に基づき、前記供給側切替弁と前記排出側切替弁の動作を制御する弁制御部を有する請求項３に記載のレドックスフロー電池。
【請求項５】
レドックスフロー電池の電力が供給される負荷の電力要求の有無を検知する有無検知部と、
前記第一空間内の前記電解液の充電状態と前記第二空間内の前記電解液の充電状態とを演算する演算部と、
前記有無検知部の検知結果と前記演算部の演算結果とに基づいて、前記供給側切替弁と前記排出側切替弁の動作を制御する弁制御部を有する請求項３に記載のレドックスフロー電池。
【請求項６】
前記仕切部は、その全周縁に設けられる外側領域と、前記外側領域に囲まれる内側領域とを有し、
前記外側領域が前記タンクの天板の周縁に固定されて、前記仕切部が前記タンクの天板から吊り下げられていて、
前記第一空間と前記第二空間とが、前記タンクの内部における内側とその外側とに設けられている請求項１から請求項５のいずれか１項に記載のレドックスフロー電池。
【発明の詳細な説明】
【技術分野】
【０００１】
本開示は、レドックスフロー電池に関する。
本出願は、２０１９年２月２７日付の日本国出願の特願２０１９−０３５０２７に基づく優先権を主張し、前記日本国出願に記載された全ての記載内容を援用するものである。
【背景技術】
【０００２】
特許文献１のレドックスフロー型２次電池は、電解液を貯留する一本の長尺な蛇行管や螺旋管を用いた構成、又は電解液を貯留する正極液タンクと負極液タンクとをそれぞれ２つずつ用いた構成を備える。蛇行管や螺旋管は、電池セルに供給される各管内の電解液と電池セルから各管に排出される電解液とが互いに混合しない程度の長さを有する。【０００３】
一方、各極液タンクを２つずつ用いた場合、例えば正極用電解液は、一方の正極液タンクから電池セルに供給され、電池セルから他方の正極液タンクに排出される。一方の正極液タンク内における全ての正極用電解液が他方の正極液タンクに流通すれば、ポンプを逆回転させることで、正極用電解液は、他方の正極液タンクから電池セルに供給され、電池セルから一方の正極液タンクに排出される。このように各極液タンクを２つずつ用いることで、電池セルから排出された電解液と電池セルに供給される電解液との混合が防止される。
【先行技術文献】
【特許文献】
【０００４】
【特許文献１】特開平２−２７６６６号公報
【発明の概要】
【０００５】
本開示に係るレドックスフロー電池は、
電解液を貯留するタンクと、
前記電解液を電池セルに流通させる流通機構とを備えるレドックスフロー電池であって、
前記タンクは、前記タンクの内部の空間を第一空間と第二空間とに区画する仕切部を有し、
前記流通機構は、前記電池セルを介して前記第一空間と前記第二空間との間で前記電解液を流通させる流通路を有し、
前記仕切部は、フレキシブルな材料で構成されている。
【図面の簡単な説明】
【０００６】
【図１】図１は、実施形態１に係るレドックスフロー電池の概略を示す構成図である。
【図２】図２は、実施形態１に係るレドックスフロー電池の電解液の流通経路を説明する構成図である。
【図３】図３は、実施形態１に係るレドックスフロー電池の電解液の流通経路を説明する構成図である。
【図４】図４は、実施形態１に係るレドックスフロー電池に備わるタンクの上面図である。
【図５】図５は、実施形態２に係るレドックスフロー電池に備わるタンク及び流通機構の一例の概略を示す構成図である。
【図６】図６は、実施形態２に係るレドックスフロー電池に備わるタンク及び流通機構の他の例の概略を示す構成図である。
【図７】図７は、実施形態２に係るレドックスフロー電池に備わるタンク及び流通機構の別の例の概略を示す構成図である。
【図８】図８は、実施形態３に係るレドックスフロー電池の概略を示す構成図である。
【発明を実施するための形態】
【０００７】
［本開示が解決しようとする課題］
レドックスフロー電池の電池容量と電解液量とは、比例関係にある。即ち、電池容量の大きなレドックスフロー電池を構築しようとすると、電解液量が多くなる。電解液量が多くなれば、蛇行管や螺旋管の長さが長くなる。その結果、圧力損失が増大する。電解液量を少なくして蛇行管や螺旋管の長さを短くすれば、圧力損失の増大が抑制される。しかし、レドックスフロー電池の電池容量が小さくなる。また、上述のように各極電解液のタンクを２つずつ用いれば、電解液量が多くても、螺旋管などを用いた場合に比較して圧力損失の増大が抑制される。しかし、タンクの設置面積が大きくなる。
【０００８】
そこで、本開示は、電池容量の低下と圧力損失の増大と設置面積の増加とを招くことなく、電池セルからタンクに排出される電解液とタンク内の電解液との混合を抑制できるレドックスフロー電池を提供することを目的の一つとする。
【０００９】
［本開示の効果］
本開示に係るレドックスフロー電池は、電池容量の低下と圧力損失の増大と設置面積の増加とを招くことなく、電池セルからタンクに排出される電解液とタンク内の電解液との混合を抑制できる。
【００１０】
《本開示の実施形態の説明》
最初に本開示の実施態様を列記して説明する。
【００１１】
（１）本開示の一態様に係るレドックスフロー電池は、
電解液を貯留するタンクと、
前記電解液を電池セルに流通させる流通機構とを備えるレドックスフロー電池であって、
前記タンクは、前記タンクの内部の空間を第一空間と第二空間とに区画する仕切部を有し、
前記流通機構は、前記電池セルを介して前記第一空間と前記第二空間との間で前記電解液を流通させる流通路を有し、
前記仕切部は、フレキシブルな材料で構成されている。
【００１２】
上記の構成は、従来のような蛇行管、螺旋管、或いは各極において二つのタンクを用いることなく、各極において一つのタンクで電池セルからタンクに排出される電解液とタンク内の電解液との混合を抑制できる。その理由は、タンク内を区画する仕切部を有することで、第一空間と第二空間の一方の空間に電池セルに供給する電解液を貯留し、他方の空間に電池セルから排出される電解液を貯留できるからである。電解液の混合が抑制されることで、電解液の充電状態の平均化が抑制される。そのため、上記の構成は、セル抵抗の連続的な上昇を抑制できる。よって、上記の構成は、電池効率、即ち充放電効率を改善できる。
【００１３】
また、上記の構成は、電池容量の低下と圧力損失の増大と設置面積の増加とを招かない。その理由は、上述のように従来のような蛇行管、螺旋管、或いは各極において二つのタンクを用いなくてもよいからである。その上、タンク内を区画する仕切部がフレキシブルな材料で構成されていることで、体積の大きなタンクを用いなくてもよいからである。
【００１４】
（２）上記レドックスフロー電池の一形態として、
前記仕切部は、その全周縁に設けられる外側領域と、前記外側領域に囲まれる内側領域とを有し、
前記外側領域における前記電解液と接触する領域は、前記タンクの内面に対して実質的に液密に固定され、
前記内側領域は、前記第一空間内及び前記第二空間内の前記電解液の増減に伴って前記第一空間及び前記第二空間の一方の体積を大きくし他方の体積を小さくするように互いの空間の体積を可変にすることが挙げられる。
【００１５】
上記の構成は、外側領域がタンクの内面に対して実質的に液密に固定される領域を有するため、各極において一つのタンクで電池セルからタンクに排出される電解液とタンク内の電解液との混合をより一層抑制できる。また、上記の構成は、電池容量の低下と圧力損失の増大と設置面積の増加とを招くことがない。その理由は、内側領域により第一空間と第二空間の体積を変えられるからである。
【００１６】
（３）上記レドックスフロー電池の一形態として、
前記流通機構は、
前記第一空間内の前記電解液を前記電池セルに供給する第一供給路と、
前記第二空間内の前記電解液を前記電池セルに供給する第二供給路と、
前記第一供給路及び前記第二供給路の下流同士と前記電池セルとを連結する一つの供給側連結路と、
前記電池セルを経た前記電解液を前記第一空間内に排出する第一排出路と、
前記電池セルを経た前記電解液を前記第二空間内に排出する第二排出路と、
前記第一排出路及び前記第二排出路の上流同士と前記電池セルとを連結する一つの排出側連結路と、
前記第一供給路及び前記第二供給路と前記供給側連結路との連結箇所に設けられて、前記電解液の前記第一供給路から前記供給側連結路への流通と前記第二供給路から前記供給側連結路への流通とを切り替える供給側切替弁と、
前記第一排出路及び前記第二排出路と前記排出側連結路との連結箇所に設けられて、前記電解液の前記排出側連結路から前記第一排出路への流通と前記排出側連結路から前記第二排出路への流通とを切り替える排出側切替弁とを有することが挙げられる。
【００１７】
上記の構成は、各極において電池セルからタンクに排出される電解液とタンク内の電解液との混合を抑制できる。その理由は、供給側切替弁と排出側切替弁とを有することで、第一空間と第二空間の一方の空間に貯留した電解液を、電池セルを通って他方の空間に排出できるからである。
【００１８】
（４）上記供給側切替弁と上記排出側切替弁とを有する上記レドックスフロー電池の一形態として、
前記第一空間内の電解液量及び前記第二空間内の電解液量の少なくとも一方を検知する液量検知部を有し、
前記液量検知部の検知結果に基づき、前記供給側切替弁と前記排出側切替弁の動作を制御する弁制御部を有することが挙げられる。
【００１９】
上記の構成は、各極において電池セルからタンクに排出される電解液とタンク内の電解液との混合を抑制できる。その理由は、電解液の流通の切り替えを、第一空間と第二空間の一方の空間内に貯留された実質的に全ての電解液が電池セルを経て他方の空間内に流通した後に行えるからである。
【００２０】
（５）上記供給側切替弁と上記排出側切替弁とを有する上記レドックスフロー電池の一形態として、
レドックスフロー電池の電力が供給される負荷の電力要求の有無を検知する有無検知部と、
前記第一空間内の前記電解液の充電状態と前記第二空間内の前記電解液の充電状態とを演算する演算部と、
前記有無検知部の検知結果と前記演算部の演算結果とに基づいて、前記供給側切替弁と前記排出側切替弁の動作を制御する弁制御部を有することが挙げられる。
【００２１】
上記の構成は、負荷の電力要求の有無に対応して充放電できる。その理由は、電解液の流通の切り替えを、第一空間と第二空間の一方の空間内に貯留された実質的に全ての電解液が電池セルを経て他方の空間内に流通し終わる前に行えるからである。
【００２２】
（６）上記レドックスフロー電池の一形態として、
前記仕切部は、その全周縁に設けられる外側領域と、前記外側領域に囲まれる内側領域とを有し、
前記外側領域が前記タンクの天板の周縁に固定されて、前記仕切部が前記タンクの天板から吊り下げられていて、
前記第一空間と前記第二空間とが、前記タンクの内部における内側とその外側とに設けられていることが挙げられる。
【００２３】
上記の構成は、仕切部を有するタンクの製造作業性に優れる。その理由は、天板に対してのみ外側領域を固定すればよいからである。その上、天板をタンクから取り外した状態で外側領域の天板への固定を行えるからである。
【００２４】
《本開示の実施形態の詳細》
本開示の実施形態の詳細を、以下に説明する。図中の同一符号は同一名称物を示す。
【００２５】
《実施形態１》
〔レドックスフロー電池〕
図１から図４を参照して、実施形態１のレドックスフロー電池を説明する。以下、レドックスフロー電池をＲＦ電池１と表記することがある。ＲＦ電池１は、電解液４を貯留するタンク３と、電解液４を電池セル１０に流通させる流通機構５とを備える。ＲＦ電池１の特徴の一つは、タンク３の内部を第一空間３１と第二空間３２とに区画する特定の仕切部３６を有する点にある。以下、ＲＦ電池１の概要を説明し、その後、本形態のＲＦ電池１の各構成を詳細に説明する。
【００２６】
［ＲＦ電池の概要］
ＲＦ電池１は、代表的には、交流／直流変換器１００と変電設備１２０とを介して発電部１１０と負荷１３０との間に接続され、発電部１１０で発電した電力を充電して蓄え、蓄えた電力を放電して負荷１３０に供給する（図１）。図１の変電設備１２０から交流／直流変換器１００に向かって伸びる実線矢印は充電を意味する。図１の交流／直流変換器１００から変電設備１２０に向かって伸びる破線矢印は放電を意味する。発電部１１０としては、例えば、太陽光発電装置や風力発電装置、その他一般の発電所などが挙げられる。負荷１３０としては、例えば、電力の需要家などが挙げられる。ＲＦ電池１は、酸化還元により価数が変化する金属イオンを活物質として含有する電解液４を正極電解液と負極電解液とに使用する。ＲＦ電池１の充放電は、正極電解液に含まれるイオンの酸化還元電位と負極電解液に含まれるイオンの酸化還元電位との差を利用して行われる。金属イオンとしては、例えば、バナジウムイオン、チタンイオン、マンガンイオンなどが挙げられる。電解液４の溶媒としては、例えば、硫酸、リン酸、硝酸、及び塩酸からなる群より選択される１種以上の酸又は酸塩を含む水溶液が挙げられる。ＲＦ電池１は、例えば、負荷平準化用途、瞬低補償や非常用電源などの用途、大量導入が進められている太陽光発電や風力発電などの自然エネルギーの出力平滑化用途などに利用される。
【００２７】
［タンク］
タンク３は、電池セル１０に流通される電解液４を貯留する（図１）。図１は、正極用のタンク３のみを示す。負極用のタンクの図示は、図１では省略する。負極用のタンクの構成は、正極用のタンク３と同様とすることができる。タンク３の大きさは、電池容量に応じて適宜選択できる。タンク３の形状は、本例のように直方体状でもよいし、円柱状でもよい。
【００２８】
タンク３は、天板３３と底板３４と側板３５と後述する仕切部３６とを有する。天板３３と底板３４と側板３５の材質は、電解液４と反応せず、電解液４に対する耐性に優れる樹脂やゴムが挙げられる。樹脂としては、ポリ塩化ビニル（ＰＶＣ）、ポリプロピレン（ＰＰ）、ポリエチレン（ＰＥ）、ポリテトラフルオロエチレン（ＰＴＦＥ）などが挙げられる。その他、天板３３と底板３４と側板３５は、鋼製の板状部材と、板状部材のうち電解液４との接触箇所を覆うコーティング層とを備える板で構成できる。コーティング層の材質は、上述の樹脂やゴムなどが挙げられる。天板３３と底板３４と側板３５の厚みは、例えば、５ｍｍ以上５０ｍｍ以下が挙げられ、更に１０ｍｍ以上４０ｍｍ以下、特に１５ｍｍ以上３０ｍｍ以下が挙げられる。この厚みとは、各板が樹脂やゴムで構成される場合はその樹脂やゴムの厚みであり、各板が板状部材とコーティング層とを備える場合、板状部材とコーティング層との合計厚みをいう。
【００２９】
（仕切部）
仕切部３６は、タンク３の内部の空間を第一空間３１と第二空間３２とに区画する。仕切部３６の材質は、電解液４と反応せず、フレキシブルな材料であると共に電解液４に対する耐性に優れる材質が挙げられる。フレキシブルな材料で構成される仕切部３６は、柔軟であること、たわむこと、曲げても割れないこと、及びある程度伸びること、の少なくとも１つを満たすことをいう。即ち、仕切部３６は、第一空間３１内及び第二空間３２内の電解液４の増減に伴って第一空間３１及び第二空間３２の一方の体積を大きくし他方の体積を小さくするように変形する特性を有する。仕切部３６の材質は、具体的には、上述の樹脂やゴムが挙げられる。仕切部３６は、本形態ではフレキシブルな一枚のシート材で構成されている。シート材は、第一面と、第二面と、第三面とを有する。第一面と第二面とは互いに対向する。第三面は、第一面と第二面とをつなぐ。
【００３０】
仕切部３６の厚みは、例えば、０．００６ｍｍ以上０．２ｍｍ以下が挙げられる。仕切部３６の厚みとは、本形態のように仕切部３６がシート材で構成されている場合、シート材の上記第一面と第二面との間の長さをいう。仕切部３６の厚みが０．２ｍｍ以下であれば、仕切部３６は、厚すぎないため、上記特性に優れる。即ち、仕切部３６は、第一空間３１内及び第二空間３２内の電解液４の増減によって伸びたり変形したりすることが可能である。仕切部３６の厚みが０．１５ｍｍ以下であれば、仕切部３６は上記特性により優れる。仕切部３６の厚みが０．００６ｍｍ以上であれば、仕切部３６は、薄すぎないため、第一空間３１内及び第二空間３２内の電解液４の増減によって伸びたり変形したりしても破れ難い。仕切部３６の厚みが０．０３ｍｍ以上であれば、仕切部３６はより破れ難い。仕切部３６の厚みは、更に０．０３ｍｍ以上０．１３ｍｍ以下、特に０．０６ｍｍ以上０．１ｍｍ以下が挙げられる。
【００３１】
仕切部３６は、詳しくは後述する外側領域３６１と内側領域３６２とを有する。外側領域３６１は、仕切部３６の全周縁に設けられる。即ち、外側領域３６１は、シート材の上記第一面における全周縁と上記第二面における全周縁とに設けられる。この外側領域３６１、即ち上記第一面における全周縁と上記第二面における全周縁とは、一定の幅のある領域である。内側領域３６２は、外側領域３６１に囲まれる。即ち、内側領域３６２は、シート材の上記第一面における外側領域３６１に囲まれ、シート材の上記第二面における外側領域３６１に囲まれる。
【００３２】
〈外側領域〉
外側領域３６１は、仕切部３６をタンク３の内面に固定する。具体的には、外側領域３６１のうち電解液４に接触する領域がタンク３の内面に固定される。勿論、外側領域３６１は、その全周にわたってタンク３の内面に固定されていてもよい。外側領域３６１のタンク３に対する固定手法は、タンク３の内面に対して実質的に液密に固定できれば特に限定されない。実質的に液密に固定とは、電解液４の充電状態に影響を与えない程度の少量の電解液４であれば、外側領域３６１を介して第一空間３１と第二空間３２の一方から他方に移動することを許容することをいう。この移動する電解液４の量は、少ないほど好ましく、全く無いことが好ましい。外側領域３６１が実質的に液密に固定されることで、仕切部３６は第一空間３１と第二空間３２との間を実質的に封止でき、好ましくは完全に封止できる。そのため、仕切部３６は、第一空間３１内の電解液４と第二空間３２内の電解液４とが混合することを抑制できる。本形態では、外側領域３６１は、その全周にわたってタンク３の内面に対して実質的に液密に固定されている。外側領域３６１の固定手法は、例えば、溶着、融着、接着剤を使用した接着などが挙げられる。
【００３３】
外側領域３６１の固定箇所は、第一空間３１と第二空間３２とに同一量の電解液４を貯留できるように、第一空間３１と第二空間３２とを形成できる位置であれば特に限定されず、適宜選択できる。外側領域３６１の固定箇所は、第一空間３１の体積と第二空間３２の体積とが互いに均一となる位置とすることが好ましい。外側領域３６１の固定箇所は、本例では天板３３である（図４）。具体的には、外側領域３６１は、その全周にわたってタンク３の天板３３の周縁側の領域に固定されている。外側領域３６１が天板３３に固定されていることで、仕切部３６を有するタンク３の製造作業性に優れる。その理由は、天板３３に対してのみ外側領域３６１を固定すればよいからである。その上、天板３３を側板３５から取り外した状態で外側領域３６１の天板３３への固定を行えるからである。外側領域３６１の天板３３への固定により、仕切部３６は天板３３から吊り下げられている。そして、第一空間３１と第二空間３２とは、タンク３の内部における内側とその外側とに形成されている。
【００３４】
〈内側領域〉
内側領域３６２は、第一空間３１内及び第二空間３２内の電解液４の増減に伴って第一空間３１と第二空間３２の体積を可変にすることが好ましい（図１）。具体的には、内側領域３６２は、第一空間３１及び第二空間３２の一方の体積を大きくし他方の体積を小さくする。仕切部３６がフレキシブルな材料で構成されることで、内側領域３６２は、第一空間３１と第二空間３２の一方の空間側に偏在したり、第一空間３１と第二空間３２の一方の空間側に伸びたりする。そのため、内側領域３６２は、第一空間３１と第二空間３２の体積を変えられる。
【００３５】
［流通機構］
流通機構５は、電解液４を電池セル１０に流通させる。この流通機構５は、電池セル１０を介して第一空間３１と第二空間３２との間で電解液４を流通させる流通路を有する。本形態の流通機構５は、第一供給路５１ｓ、第二供給路５２ｓ、供給側連結路５３ｓ、供給側切替弁５４ｓ、第一排出路５１ｄ、第二排出路５２ｄ、排出側連結路５３ｄ、排出側切替弁５４ｄ、及びポンプ５５を有する。図１は、正極用の流通機構５のみを示す。負極用の流通機構の図示は、図１では省略する。負極用の流通機構の構成は、正極用の流通機構５と同様とすることができる。
【００３６】
第一供給路５１ｓは、タンク３の第一空間３１内の電解液４を電池セル１０に供給する。第一供給路５１ｓの上流は、第一空間３１内に開口する。第一空間３１内に電解液４が貯留されている場合、第一供給路５１ｓの上流は電解液４中に開口する（図１）。第一供給路５１ｓの下流は、供給側連結路５３ｓに接続される。
【００３７】
第二供給路５２ｓは、タンク３の第二空間３２内の電解液４を電池セル１０に供給する。第二供給路５２ｓの上流は、第二空間３２内に開口する。第二空間３２内に電解液４が貯留されている場合、第二供給路５２ｓの上流は電解液４中に開口する（図２，図３）。第二供給路５２ｓの下流は、供給側連結路５３ｓに接続される。
【００３８】
供給側連結路５３ｓは、第一供給路５１ｓと第二供給路５２ｓの下流同士と電池セル１０とを接続する。第一供給路５１ｓ又は第二供給路５２ｓを流通する電解液４は、供給側連結路５３ｓを通って電池セル１０に供給される。
【００３９】
供給側切替弁５４ｓは、第一供給路５１ｓと第二供給路５２ｓの一方の開通と他方の閉鎖とを行う。即ち、供給側切替弁５４ｓは、電解液４の第一供給路５１ｓから供給側連結路５３ｓへの流通と第二供給路５２ｓから供給側連結路５３ｓへの流通とを切り替える。供給側切替弁５４ｓの設置箇所は、第一供給路５１ｓ及び第二供給路５２ｓと供給側連結路５３ｓの連結箇所が挙げられる。供給側切替弁５４ｓの種類は、例えば、三方弁が挙げられる。
【００４０】
第一排出路５１ｄは、電池セル１０を経た電解液４を第一空間３１内に排出する。第一排出路５１ｄの上流は、排出側連結路５３ｄに接続される。第一排出路５１ｄの下流は、第一空間３１内に開口する。第一空間３１内に電解液４が貯留されている場合、第一排出路５１ｄの下流は第一空間３１内の気相部分に開口する（図１）。
【００４１】
第二排出路５２ｄは、電池セル１０を経た電解液４を第二空間３２内に排出する。第二排出路５２ｄの上流は、排出側連結路５３ｄに接続される。第二排出路５２ｄの下流は、第二空間３２内に開口する。第二空間３２内に電解液４が貯留されている場合、第二排出路５２ｄの下流は第二空間３２内の気相部分に開口する（図２，図３）。
【００４２】
排出側連結路５３ｄは、第一排出路５１ｄと第二排出路５２ｄの上流同士と電池セル１０とを接続する。電池セル１０から排出された電解液４は、排出側連結路５３ｄを通って第一排出路５１ｄ又は第二排出路５２ｄを流通する。
【００４３】
排出側切替弁５４ｄは、第一排出路５１ｄと第二排出路５２ｄの一方の開通と他方の閉鎖とを行う。即ち、排出側切替弁５４ｄは、電解液４の排出側連結路５３ｄから第一排出路５１ｄへの流通と排出側連結路５３ｄから第二排出路５２ｄへの流通とを切り替える。排出側切替弁５４ｄの設置箇所は、排出側連結路５３ｄと第一排出路５１ｄ及び第二排出路５２ｄとの連結箇所が挙げられる。排出側切替弁５４ｄの種類は、例えば、供給側切替弁５４ｓと同様、三方弁が挙げられる。
【００４４】
第一供給路５１ｓ、第二供給路５２ｓ、供給側連結路５３ｓ、第一排出路５１ｄ、第二排出路５２ｄ、及び排出側連結路５３ｄは、例えば、樹脂管や被覆管で構成できる。樹脂管の材質は、例えば、ポリ塩化ビニルが挙げられる。被覆管は、金属製の管状部材と、その管状部材のうち電解液４との接触箇所を覆うコーティング層とを備える。管状部材は、例えば、ステンレス鋼管が利用できる。コーティング層の材料は、電解液４と反応せず、電解液４に対する耐性に優れる材料が挙げられる。コーティング層の具体的な材料は、上述したタンク３と同様の樹脂やゴムなどの材料が挙げられる。
【００４５】
ポンプ５５は、第一空間３１内又は第二空間３２内の電解液４を電池セル１０を介して第二空間３２又は第一空間３１に圧送する。ポンプ５５の設置箇所は、本例では供給側連結路５３ｓの途中である。充放電を行う運転時、ポンプ５５が駆動される。この点は、後述する制御部６５で説明する。充放電を行わない待機時、ポンプ５５が停止される。この待機時には、電解液４が圧送されない。ポンプ５５の種類は、適宜選択でき、例えば自吸式ポンプが挙げられる。
【００４６】
供給側切替弁５４ｓと排出側切替弁５４ｄとポンプ５５とは、後述する制御機構６により制御される。
【００４７】
［制御機構］
制御機構６は、第一空間３１内と第二空間３２内の電解液量に基づき、第一空間３１内の電解液４の流通と第二空間３２内の電解液４の流通とを制御する。本形態の制御機構６は、液量検知部と制御部６５とを有する。
【００４８】
（液量検知部）
液量検知部は、第一空間３１内の電解液量、及び第二空間３２内の電解液量の少なくとも一方を検知する。本形態では、液量検知部は、第一空間３１内の電解液量を検知する第一液量検知部６１と、第二空間３２内の電解液量を検知する第二液量検知部６２とを有する。図２，図３では、説明の便宜上、第一液量検知部６１と第二液量検知部６２の図示は省略している。例えば、第一液量検知部６１は、第一空間３１内の電解液量が実質的にゼロになったか否かを検知することが挙げられる。同様に、第二液量検知部６２は、第二空間３２内の電解液量が実質的にゼロになったか否かを検知することが挙げられる。
【００４９】
第一液量検知部６１及び第二液量検知部６２の種類は、例えば、スイッチやセンサが挙げられる。スイッチとしては、例えば、フロート式などのレベルスイッチが挙げられる。センサとしては、例えば、フロート式、静電容量式、光学式、超音波式などの液量センサや液面レベルセンサが挙げられる。第一液量検知部６１及び第二液量検知部６２の検知結果は、制御部６５に送られる。
【００５０】
（制御部）
制御部６５は、弁制御部６５１とポンプ制御部６５２とを有する。制御部６５は、例えば、コンピュータなどが利用できる。
【００５１】
〈弁制御部〉
弁制御部６５１は、液量検知部の検知結果に基づき、供給側切替弁５４ｓと排出側切替弁５４ｄの動作を制御する。弁制御部６５１は、第一供給路５１ｓと第二供給路５２ｓの一方を開通させて、他方を閉鎖させるように、供給側切替弁５４ｓを動作させる。また、弁制御部６５１は、第一排出路５１ｄと第二排出路５２ｄの一方を開通させて、他方を閉鎖させるように、排出側切替弁５４ｄを動作させる。
【００５２】
〈ポンプ制御部〉
ポンプ制御部６５２は、液量検知部の検知結果に基づき、ポンプ５５の駆動を制御する。換言すれば、ポンプ制御部６５２による制御は、弁制御部６５１による供給側切替弁５４ｓ及び排出側切替弁５４ｄの制御に連動して行われる。ポンプ制御部６５２は、ポンプ５５を駆動させたり停止させたりする。
【００５３】
（制御手順）
制御部６５による第一空間３１内の電解液４の流通と第二空間３２内の電解液４の流通との制御手順を説明する。ここでの説明は、電解液４を充電する場合を例に行う。
【００５４】
〈第一手順〉
図１に示すように、第一空間３１内に実質的に全ての電解液４が貯留されていて第二空間３２内に電解液４が実質的に貯留されていない場合、第二液量検知部６２が第二空間３２内の電解液量がゼロと検知する。この検知結果に基づき、弁制御部６５１は、第一供給路５１ｓを開通させて第二供給路５２ｓを閉鎖させるように供給側切替弁５４ｓを動作させる。また、弁制御部６５１は、第二排出路５２ｄを開通させて第一排出路５１ｄを閉鎖させるように排出側切替弁５４ｄを動作させる。弁制御部６５１の制御に連動して、ポンプ制御部６５２は、ポンプ５５を駆動させる。この制御により、第一空間３１内に貯留されていた電解液４は、第一供給路５１ｓと供給側連結路５３ｓとを順に通って電池セル１０に供給されて充電される。電池セル１０で充電された電解液４は、電池セル１０から排出側連結路５３ｄと第二排出路５２ｄとを順に通って第二空間３２内に排出される（図２）。弁制御部６５１及びポンプ制御部６５２は、図３に示すように、第一空間３１内の実質的に全ての電解液４が第二空間３２内に送られるまで、即ち、第一液量検知部６１（図１）が第一空間３１内の電解液量がゼロと検知するまで、供給側切替弁５４ｓ及び排出側切替弁５４ｄと、ポンプ５５の状態を維持する。そうして、充電状態が上がった全ての電解液４が第二空間３２内に貯留される。充電状態が上がった全ての電解液４が第二空間３２内に貯留されたら、ポンプ制御部６５２は、ポンプ５５を停止させる。
【００５５】
〈第二手順〉
図３に示すように、第二空間３２内に実質的に全ての電解液４が貯留されていて第一空間３１内に電解液４が実質的に貯留されていない場合、第一液量検知部６１（図１）が第一空間３１内の電解液量がゼロと検知する。この検知結果に基づき、弁制御部６５１は、第一手順と逆の手順となるように制御する。即ち、弁制御部６５１は、第二供給路５２ｓを開通させて第一供給路５１ｓを閉鎖させるように供給側切替弁５４ｓを動作させる。また、弁制御部６５１は、第一排出路５１ｄを開通させて第二排出路５２ｄを閉鎖させるように排出側切替弁５４ｄを動作させる。ポンプ制御部６５２は、ポンプ５５を駆動させる。この制御により、第二空間３２内に貯留されていた電解液４は、第二供給路５２ｓと供給側連結路５３ｓとを順に通って電池セル１０に供給されて充電される。電池セル１０で充電された電解液４は、電池セル１０から排出側連結路５３ｄと第一排出路５１ｄとを順に通って第一空間３１内に排出される（図２）。弁制御部６５１及びポンプ制御部６５２は、図１に示すように、第二空間３２内の実質的に全ての電解液４が第一空間３１内に送られるまで、即ち、第二液量検知部６２が第二空間３２内の電解液量がゼロと検知するまで、供給側切替弁５４ｓ及び排出側切替弁５４ｄと、ポンプ５５の状態を維持する。そうして、充電状態が上がった全ての電解液４が第一空間３１内に貯留される。
【００５６】
制御部６５は、電解液４の充電状態が満充電に達するまで、第一手順と第二手順とを繰り返し行う。制御部６５は、電解液４の充電状態が満充電に達した時点で、第一手順及び第二手順を終了する。
【００５７】
なお、電池セル１０の一度や二度の通過で、電解液４の充電状態が満充電に達した場合、制御部６５は、第一手順と第二手順とを繰り返さなくてもよい。その場合、制御部６５は、第一手順と第二手順の少なくとも一方の手順のみを行えばよい。
【００５８】
［電池セル］
電池セル１０は、水素イオンを透過させる隔膜で正極セルと負極セルとに分離されている。隔膜、正極セル、及び負極セルの図示はいずれも省略している。正極セルには、正極電極が内蔵されている。正極セルには、上述した流通機構５により上述したタンク３から正極電解液が流通される。負極セルには、負極電極が内蔵されている。負極セルには、上述した流通機構５により上述した負極用のタンクから負極電解液が流通される。電池セル１０は、通常、セルスタック２０と呼ばれる構造体の内部に形成される。
【００５９】
［セルスタック］
セルスタック２０は、サブスタックと呼ばれる積層体と、積層体をその両側から挟み込む２枚のエンドプレートと、両エンドプレートを締め付ける締付機構とで構成されている。積層体、エンドプレート、及び締め付け機構の図示はいずれも省略している。サブスタックの数は、単数でもよいし複数でもよい。サブスタックは、セルフレーム、正極電極、隔膜、及び負極電極を、この順番で複数積層した積層体と、その積層体の両端に配置される給排板とを有する。セルフレームは、双極板と双極板の外周縁部を囲む枠体とを有する。隣接するセルフレームの双極板の間に一つの電池セル１０が形成される。双極板を挟んで表裏に、隣り合う電池セル１０の正極電極と負極電極とが配置され、正極セルと負極セルとが配置される。セルフレームの枠体は、電池セル１０の内部に電解液４を供給する給液マニホールド及び給液スリットと、電池セル１０の外部に電解液４を排出する排液マニホールド、及び排液スリットとを有する。各枠体間には、環状のシール溝にＯリングや平パッキンなどの環状のシール部材が配置され、電池セル１０からの電解液４の漏洩を抑制している。電池セル１０及びセルスタック２０は、公知のものを利用できる。
【００６０】
〔作用効果〕
本形態のＲＦ電池１は、従来のような蛇行管、螺旋管、或いは各極において二つのタンクを用いることなく、各極において一つのタンク３で電池セル１０からタンク３に排出される電解液４とタンク３内の電解液４との混合を抑制できる。その理由は、タンク３内を区画する仕切部３６を有するため、第一空間３１と第二空間３２の一方の空間に電池セル１０に供給する電解液４を貯留できて、他方の空間に電池セル１０から排出される電解液４を貯留できるからである。また、供給側切替弁５４ｓと排出側切替弁５４ｄとを有することで、第一空間３１と第二空間３２の一方の空間に貯留した電解液４を、電池セル１０を通って他方の空間に排出できるからである。そして、弁制御部６５１を有することで、電解液４の流通の切り替えを、第一空間３１と第二空間３２の一方の空間内に貯留された実質的に全ての電解液４が電池セル１０を経て他方の空間内に流通した後に行えるからである。
【００６１】
また、本形態のＲＦ電池１は、電池容量の低下と圧力損失の増大と設置面積の増加とを招くことがない。上述のように従来のような蛇行管、螺旋管、或いは各極において二つのタンクを用いなくてもよいからである。その上、タンク３内を区画する仕切部３６がフレキシブルな材料で構成され、内側領域３６２により第一空間３１と第二空間３２の体積を変えられることで、体積の大きなタンク３を用いなくてもよいからである。
【００６２】
《実施形態２》
〔レドックスフロー電池〕
実施形態１では、仕切部３６により第一空間３１と第二空間３２とがタンク３の内部を内側と外側とに設けられている形態を説明した。実施形態２では、図５から図７を参照して、第一空間３１と第二空間３２の形成箇所が実施形態１のＲＦ電池１と相違する形態を説明する。即ち、実施形態２のＲＦ電池１は、外側領域３６１の固定箇所が実施形態１のＲＦ電池１と相違する。以下の説明は、実施形態１との相違点を中心に行う。実施形態１と同様の構成の説明は省略する。これらの点は、後述する実施形態３でも同様である。なお、図５から図７では、説明の便宜上、電解液を省略している。
【００６３】
［タンク］
（仕切部）
外側領域３６１は、図５に示すように、第一空間３１と第二空間３２とがタンク３の内部の左右に設けられるように、天板３３と側板３５と底板３４とに固定されていてもよい。また、外側領域３６１は、図６に示すように、第一空間３１と第二空間３２とがタンク３の内部の上下に設けられるように、側板３５の全周にわたって固定されていてもよい。更に、外側領域３６１は、図７に示すように、第一空間３１と第二空間３２とがタンク３の内部の対角位置に設けられるように、天板３３と側板３５との角部と、側板３５と、側板３５と底板３４との角部とに固定されていてもよい。
【００６４】
〔作用効果〕
本形態のＲＦ電池１は、実施形態１のＲＦ電池１と同様、電池容量の低下と圧力損失の増大と設置面積の増加とを招くことなく、電池セル１０からタンク３に排出される電解液４とタンク３内の電解液４との混合を抑制できる。
【００６５】
《実施形態３》
〔レドックスフロー電池〕
実施形態１では、弁制御部６５１により電解液４の流通を切り替えるタイミングが、第一空間３１と第二空間３２の一方の空間内に貯留された実質的に全ての電解液４が電池セル１０を経て他方の空間内に流通した後である形態を説明した。実施形態３のＲＦ電池１では、図８を参照して、上記タイミングが実施形態１のＲＦ電池１と相違する形態を説明する。具体的には、上記タイミングの一つが、一方の空間内に貯留された実質的に全ての電解液４が電池セル１０を経て他方の空間内に流通し終わる前である。即ち、上記タイミングの一つは、一方の空間内に貯留された電解液４が電池セル１０を経て他方の空間内に流通している途中である。
【００６６】
（制御部）
制御部６５は、実施形態１と同様の弁制御部６５１及びポンプ制御部６５２に加えて、有無検知部６５３と演算部６５４とを有する。本形態の弁制御部６５１は、有無検知部６５３の検知結果と演算部６５４の演算結果とに基づいて、供給側切替弁５４ｓと排出側切替弁５４ｄの動作を制御する。弁制御部６５１は、上述と同様、第一供給路５１ｓと第二供給路５２ｓの一方を開通させて他方を閉鎖させるように供給側切替弁５４ｓを動作させる。また、弁制御部６５１は、第一排出路５１ｄと第二排出路５２ｄの一方を開通させて他方を閉鎖させるように排出側切替弁５４ｄを動作させる。ポンプ制御部６５２は、上述と同様、弁制御部６５１に連動してポンプ５５を駆動させる。
【００６７】
〈有無検知部〉
有無検知部６５３は、負荷１３０の電力要求の有無を検知する。検知結果が有りの場合、ＲＦ電池１は放電する。検知結果が無しの場合、ＲＦ電池１は充電する。負荷１３０の電力要求の有無は、給電指令所からの指令などによる交流／直流変換器１００の動作に基づいて検知できる。
【００６８】
〈演算部〉
演算部６５４は、第一空間３１内の電解液４の充電状態（ＳＯＣ）と、第二空間３２内の電解液４の充電状態（ＳＯＣ）とを演算する。電解液４の充電状態は、測定部１０ｍを利用して求められる。
【００６９】
本形態では、電池セル１０の上流と下流とに設けた測定部１０ｍを用いて、電池セル１０に供給される電解液４の充電状態と電池セル１０を経た電解液４の充電状態とを演算する。上流側の測定部１０ｍは、供給側連結路５３ｓを分岐した分岐路５６ｓの途中に設けられる。上流側の測定部１０ｍを通過した電解液４は、供給側連結路５３ｓに戻されて、電池セル１０に送られる。下流側の測定部１０ｍは、排出側連結路５３ｄを分岐した分岐路５６ｄの途中に設けられる。下流側の測定部１０ｍを通過した電解液４は、排出側連結路５３ｄに戻されて、タンク３に送られる。両方の測定部１０ｍには、正負の一方の電解液４のみが供給される。図８では、正極電解液が各測定部１０ｍに供給される構成を示している。負極電解液の流通機構においても、電池セル１０の上流と下流とに同様の測定部が設けられている。負極電解液の流通機構における測定部の図示は省略する。
【００７０】
上流側の測定部１０ｍと下流側の測定部１０ｍとには、それぞれ電位が既知の標準電極１０ｒが接続されている。標準電極１０ｒには、例えば、飽和ＫＣｌ銀塩化銀電極（Ａｇ／ＡｇＣｌ／飽和ＫＣｌ用溶液）を使用できる。上流側の測定部１０ｍと標準電極１０ｒとの間と、下流側の測定部１０ｍと標準電極１０ｒとの間とには、それぞれ電解液の絶対電位を測定する電圧測定部１０ｖが設けられている。電圧測定部１０ｖとしては、電圧計が利用できる。各電圧測定部１０ｖでの測定結果は、演算部６５４に送られて電解液４の充電状態の演算に用いられる。この演算はコンピュータが行う。
【００７１】
弁制御部６５１による供給側切替弁５４ｓと排出側切替弁５４ｄとの制御に基づき、電解液４が第一空間３１と第二空間３２のどちらに流通するかがわかる。演算した電解液４の充電状態と供給側切替弁５４ｓと排出側切替弁５４ｄの制御により構成される電解液４の流通経路とから、第一空間３１内と第二空間３２内の電解液４の充電状態が求められる。
【００７２】
なお、電解液４の充電状態は、測定部１０ｍ及び標準電極１０ｒを用いる代わりに、電池セル１０と同様の構成のモニタセルを電池セル１０の上流と下流の各々に設けて、モニタセルの開放電位を測定することで求めてもよい。測定した開放電位は、演算部６５４に送られて電解液４の充電状態の演算に用いられる。
【００７３】
（制御手順）
有無検知部６５３が有りを検知したとき、演算部６５４は、第一空間３１内と第二空間３２内の電解液４の充電状態を演算する。弁制御部６５１は、第一空間３１内と第二空間３２内の電解液４のうち、充電状態の高い方の電解液４を電池セル１０に流通させるように、供給側切替弁５４ｓと排出側切替弁５４ｄの動作を制御する。例えば、第一空間３１内の電解液４の充電状態の方が高い場合、弁制御部６５１は、第一供給路５１ｓを開通させて第二供給路５２ｓを閉鎖させるように供給側切替弁５４ｓを動作させる。また、弁制御部６５１は、第二排出路５２ｄを開通させて第一排出路５１ｄを閉鎖させるように排出側切替弁５４ｄを動作させる。このとき、ポンプ制御部６５２は、弁制御部６５１の上記制御の開始前にポンプ５５を一旦停止させ、弁制御部６５１の上記制御の完了後にポンプ５５を駆動させる。この制御により、第一空間３１内の電解液４が第一供給路５１ｓと供給側連結路５３ｓとを順に通って電池セル１０に供給されて放電される。電池セル１０で放電されて充電状態が下がった電解液４は、排出側連結路５３ｄと第二排出路５２ｄとを順に通って第二空間３２内に排出される。
【００７４】
第一空間３１内の実質的に全ての電解液４が電池セル１０を経て第二空間３２内に流通したら、実施形態１で説明したように、第一液量検知部６１が第一空間３１内の電解液量がゼロと検知する。そして、弁制御部６５１は、上述の手順と逆の手順となるように制御する。即ち、弁制御部６５１は、第二供給路５２ｓを開通させて第一供給路５１ｓを閉鎖させるように供給側切替弁５４ｓを動作させる。また、弁制御部６５１は、第一排出路５１ｄを開通させて第二排出路５２ｄを閉鎖させるように排出側切替弁５４ｄを動作させる。ポンプ制御部６５２は、上述したように、弁制御部６５１の上記制御の開始前にポンプ５５を一旦停止させ、弁制御部６５１の上記制御の完了後にポンプ５５を駆動させる。この制御により、第二空間３２内に貯留されていた電解液４は、第二供給路５２ｓと供給側連結路５３ｓとを順に通って電池セル１０に供給されて放電される。電池セル１０で放電された電解液４は、電池セル１０から排出側連結路５３ｄと第一排出路５１ｄとを順に通って第一空間３１内に排出される。
【００７５】
電解液４の充電状態が放電末に達した時点で、本制御は終了する。
【００７６】
なお、第一空間３１内の電解液４の充電状態が閾値未満の場合、本制御を行わないようにしてもよい。この場合、充電状態の低い第二空間３２内の電解液４を電池セル１０に流通させることで、電解液４が充電される。
【００７７】
有無検知部６５３が無しを検知したとき、演算部６５４は、第一空間３１内と第二空間３２内の電解液４の充電状態を演算する。弁制御部６５１は、第一空間３１内と第二空間３２内の電解液４のうち、充電状態の低い方の電解液４を電池セル１０に流通させるように、供給側切替弁５４ｓと排出側切替弁５４ｄの動作を制御する。例えば、第二空間３２内の電解液４の充電状態の方が低い場合、弁制御部６５１は、第二供給路５２ｓを開通させて第一供給路５１ｓを閉鎖させるように供給側切替弁５４ｓを動作させる。また、弁制御部６５１は、第一排出路５１ｄを開通させて第二排出路５２ｄを閉鎖させるように排出側切替弁５４ｄを動作させる。このとき、ポンプ制御部６５２は、弁制御部６５１の上記制御の開始前にポンプ５５を一旦停止させ、弁制御部６５１の上記制御の完了後にポンプ５５を駆動させる。この制御により、第二空間３２内の電解液４が第二供給路５２ｓと供給側連結路５３ｓとを順に通って電池セル１０に供給されて充電される。電池セル１０で充電された電解液４は、排出側連結路５３ｄと第一排出路５１ｄとを順に通って第一空間３１内に排出される。
【００７８】
第二空間３２内の実質的に全ての電解液４が電池セル１０を経て第一空間３１内に流通したら、実施形態１で説明したように、第二液量検知部６２が第二空間３２内の電解液量がゼロと検知する。そして、弁制御部６５１とポンプ制御部６５２とは、上述の手順と逆の手順となるように制御する。即ち、弁制御部６５１は、第一供給路５１ｓを開通させて第二供給路５２ｓを閉鎖させるように供給側切替弁５４ｓを動作させる。また、弁制御部６５１は、第二排出路５２ｄを開通させて第一排出路５１ｄを閉鎖させるように排出側切替弁５４ｄを動作させる。ポンプ制御部６５２は、上述したように、弁制御部６５１の上記制御の開始前にポンプ５５を一旦停止させ、弁制御部６５１の上記制御の完了後にポンプ５５を駆動させる。この制御により、第一空間３１内に貯留されていた電解液４は、第一供給路５１ｓと供給側連結路５３ｓとを順に通って電池セル１０に供給されて充電される。電池セル１０で充電された電解液４は、電池セル１０から排出側連結路５３ｄと第二排出路５２ｄとを順に通って第二空間３２内に排出される。
【００７９】
電解液４の充電状態が満充電に達した時点で、本制御は終了する。
【００８０】
〔作用効果〕
本形態のＲＦ電池１は、電解液４の流通の切り替えを、第一空間３１と第二空間３２の一方の空間内に貯留された実質的に全ての電解液４が電池セル１０を経て他方の空間内に流通し終わる前に行える。そのため、例えば、充電途中に負荷１３０の電力要求が有りとなった場合でも、負荷１３０の電力要求に対して即座に対応できる。
【００８１】
本発明は、これらの例示に限定されるものではなく、請求の範囲によって示され、請求の範囲と均等の意味および範囲内でのすべての変更が含まれることが意図される。
【符号の説明】
【００８２】
１  ＲＦ電池
１０  電池セル
１０ｍ  測定部
１０ｒ  標準電極
１０ｖ  電圧測定部
２０  セルスタック
３  タンク
３１  第一空間
３２  第二空間
３３  天板
３４  底板
３５  側板
３６  仕切部
３６１  外側領域
３６２  内側領域
４  電解液
５  流通機構
５１ｓ  第一供給路
５１ｄ  第一排出路
５２ｓ  第二供給路
５２ｄ  第二排出路
５３ｓ  供給側連結路
５３ｄ  排出側連結路
５４ｓ  供給側切替弁
５４ｄ  排出側切替弁
５５  ポンプ
５６ｓ  分岐路
５６ｄ  分岐路
６  制御機構
６１  第一液量検知部
６２  第二液量検知部
６５  制御部
６５１  弁制御部
６５２  ポンプ制御部
６５３  有無検知部
６５４  演算部
１００  交流／直流変換器
１１０  発電部
１２０  変電設備
１３０  負荷
【図１】
2020175340.tif 000003
【図２】
2020175340.tif 000004
【図３】
2020175340.tif 000005
【図４】
2020175340.tif 000006
【図５】
2020175340.tif 000007
【図６】
2020175340.tif 000008
【図７】
2020175340.tif 000009
【図８】
2020175340.tif 000010
【国際調査報告】
2020175340.tif 000011
2020175340.tif 000012
2020175340.tif 000013
2020175340.tif 000014